(57)【要約】【課題】受信情報に基づいて地点を示す画像を地図画像上に表示する電子機器を提供する。【解決手段】本発明による電子機器１０は、位置情報を検出する測位手段１１４、１０８と、位置情報に対応する地図画像を表示する地図表示手段１１１と、情報を受信する受信手段１１６と、受信手段１１６で受信された受信情報が示す地点に関連する画像を地図画像に含めるように地図表示手段１１１を制御する制御手段１１０、１０８とを備える。【選択図】図２
2008052190.tif 000002
【特許請求の範囲】
【請求項１】
位置情報を検出する測位手段と、
前記位置情報に対応する地図画像を表示する地図表示手段と、
情報を受信する受信手段と、
前記受信手段で受信された受信情報が示す地点に関連する画像を前記地図画像に含めるように前記地図表示手段を制御する制御手段とを備えることを特徴とする電子機器。
【請求項２】
請求項１に記載の電子機器において、
前記受信情報は前記地点に関連する画像情報を含み、
前記制御手段は、前記地点に対応する前記地図画像上の一部に前記画像情報による画像を表示するように前記地図表示手段を制御することを特徴とする電子機器。
【請求項３】
請求項２に記載の電子機器において、
前記地点に関連する画像は、当該地点の撮影画像であることを特徴とする電子機器。
【請求項４】
請求項２に記載の電子機器において、
前記地点に関連する画像は、当該地点を撮影した複数の画像の中から季節および時刻の少なくとも一方に応じて選択された画像であることを特徴とする電子機器。
【請求項５】
請求項２に記載の電子機器において、
前記地点に関連する画像は、当該地点における商品を撮影した画像であることを特徴とする電子機器。
【請求項６】
請求項２〜５のいずれか一項に記載の電子機器において、
前記地図表示手段は、前記地図画像上に表示する前記画像情報による画像の表示サイズを前記制御手段からの指示に応じて変更することを特徴とする電子機器。
【請求項７】
請求項２〜６のいずれか一項に記載の電子機器において、
前記制御手段は、前記地図画像上に表示する前記画像情報による画像の一部に当該地点の混雑情報を含めるように前記地図表示手段を制御することを特徴とする電子機器。
【発明の詳細な説明】
【技術分野】
【０００１】
本発明は、電子機器に関する。
【背景技術】
【０００２】
指定された地点を経由して目的地へ向かうゲームなどにおいて、ゲームの参加者が指定地点を通過したことを証明する技術が知られている。従来技術によれば、ゲームの参加者はＧＰＳモジュールを搭載したデジタルカメラを携行し、各指定地点（チェックポイント）において上記カメラで撮影を行いながら目的地へ向かう。
【０００３】
【特許文献１】特開２００５−２６７６８号公報
【発明の開示】
【発明が解決しようとする課題】
【０００４】
従来技術によれば、たとえば、上記ゲームの参加者がスタートをした後は、指定地点や目的地の変更をすることが困難である。
【課題を解決するための手段】
【０００５】
（１）本発明による電子機器は、位置情報を検出する測位手段と、位置情報に対応する地図画像を表示する地図表示手段と、情報を受信する受信手段と、受信手段で受信された受信情報が示す地点に関連する画像を地図画像に含めるように地図表示手段を制御する制御手段とを備えることを特徴とする。
（２）請求項１に記載の電子機器において、受信情報は地点に関連する画像情報を含み、制御手段は、地点に対応する地図画像上の一部に画像情報による画像を表示するように地図表示手段を制御することが好ましい。
（３）請求項２に記載の電子機器において、地点に関連する画像は、当該地点の撮影画像であってもよい。
（４）請求項２に記載の電子機器において、地点に関連する画像は、当該地点を撮影した複数の画像の中から季節および時刻の少なくとも一方に応じて選択された画像であってもよい。
（５）請求項２に記載の電子機器において、地点に関連する画像は、当該地点における商品を撮影した画像であってもよい。
（６）請求項２〜５のいずれか一項に記載の電子機器において、地図表示手段は、地図画像上に表示する画像情報による画像の表示サイズを制御手段からの指示に応じて変更することが好ましい。
（７）請求項２〜６のいずれか一項に記載の電子機器において、制御手段は、地図画像上に表示する画像情報による画像の一部に当該地点の混雑情報を含めるように地図表示手段を制御することが好ましい。
【発明の効果】
【０００６】
本発明によれば、受信情報に基づいて地点を示す画像を地図画像上に表示できる。
【発明を実施するための最良の形態】
【０００７】
以下、図面を参照して本発明を実施するための最良の形態について説明する。図１は、本発明の一実施形態による電子カメラ１０を含めて構成したポイント提供システムを例示する図である。ポイント提供システムは、サービス提供者が予め定めた所定のルールに基づいてサービス利用者へ得点（ポイント）を提供するためのシステムである。図１において、ネットワークに得点管理サーバ１１およびアクセスポイント１３が接続されている。
【０００８】
得点管理サーバ１１は、サービス提供者によってデータセンターなどに配置される。得点管理サーバ１１には、サービス利用者へ提供する得点に関する情報、当該得点をサービス利用者へ提供するための情報、サービス利用者ごとの獲得得点、およびサービス利用者の管理情報などを管理する。
【０００９】
アクセスポイント１３は、サービス提供者によって観光地などに設けられた無線アクセス端末である。電子カメラ１０が通信機能を有する場合、電子カメラ１０はアクセスポイント１３を介して得点管理サーバ１１へアクセス可能である。
【００１０】
上記ポイント提供システムにおいて、サービス利用者は、電子カメラ１０をアクセスポイント１３経由でインターネットに接続し、ポイント提供サービスを利用する。アクセスポイント１３との間で通信が成立した電子カメラ１０は、電子カメラ１０内のデータを得点管理サーバ１１へ送受可能にする。
【００１１】
なお、サービス利用者は、自宅などの不図示のパーソナルコンピュータからインターネットに接続し、得点管理サーバ１１からの情報をパーソナルコンピュータを介して得ることも可能に構成されている。この場合、電子カメラ１０およびパーソナルコンピュータ間がＵＳＢケーブルなどで接続され、得点管理サーバ１１からのデータが電子カメラ１０内に取得される。
【００１２】
上述したポイント提供システムは、たとえば、サービス利用者へ観光地に関するマップ情報を与え、サービス利用者がマップ情報に含まれている所定の地点で電子カメラ１０による撮影を行った場合に、撮影内容（被写体、撮影場所、撮影画像の露出、ピント、ブレ等）や撮影条件（電子カメラ１０の設定状態など）ごとに定められているポイントを生成し、生成したポイントを得点管理サーバ１１に蓄積する。
【００１３】
本発明は、上記ポイント提供システムで使用する電子カメラ１０に関するので、以降の説明は電子カメラ１０を中心に行う。図２は、電子カメラ１０の要部構成を説明するブロック図である。図２において、タイミングジェネレータ(TG)１０５は、メインＣＰＵ１０８から送出される指示に応じて、タイミング信号をドライバ１０４、ＡＦＥ(Analog Front End)回路１０２、Ａ／Ｄ変換回路１０３および画像処理回路１０６へ供給する。ドライバ１０４は、撮像素子１０１で必要とされる駆動信号を供給する。
【００１４】
撮影レンズＬは、撮像素子１０１の撮像面に被写体像を結像させる。撮像素子１０１は、画素に対応する複数の光電変換素子を備えたＣＣＤイメージセンサなどによって構成され、撮像面上に結像されている被写体像を撮像し、被写体像の明るさに応じた光電変換信号を出力する。撮像素子１０１の撮像面には、それぞれＲ（赤）、Ｇ（緑）およびＢ（青）のカラーフィルタが画素位置に対応するように設けられている。撮像素子１０１がカラーフィルタを通して被写体像を撮像するため、撮像素子１０１から出力される光電変換信号は、ＲＧＢ表色系の色情報を有する。
【００１５】
ＡＦＥ回路１０２は、撮像素子１０１から出力される光電変換信号に対するアナログ処理（ゲインコントロールなど）を行う。Ａ／Ｄ変換回路１０３は、アナログ処理後の撮像信号をディジタル信号に変換する。
【００１６】
メインＣＰＵ１０８は、各ブロックから出力される信号を入力して所定の演算を行い、演算結果に基づく制御信号を各ブロックへ出力する。画像処理回路１０６は、たとえばＡＳＩＣとして構成され、Ａ／Ｄ変換回路１０３から入力されるディジタル画像信号に対する画像処理を行う。画像処理には、たとえば、輪郭強調や色温度調整（ホワイトバランス調整）処理、画像信号に対するフォーマット変換処理が含まれる。
【００１７】
画像圧縮回路１０７は、画像処理回路１０６による処理後の画像信号に対して、JPEG方式で所定の圧縮比率の画像圧縮処理を行う。表示画像作成回路１１０は、撮像画像を液晶モニタ１１１に表示させるための表示データを作成する。液晶モニタ１１１は、表示画像作成回路１１０から入力される表示データによる再生画像を表示する。表示画像作成回路１１０は画像表示用データの他、メッセージやメニュー、マークなどを表示するためのデータの作成も行う。これにより、液晶モニタ１１１に画像以外の情報も表示される。
【００１８】
記録媒体１０Ａは、電子カメラ１０に対して着脱可能なメモリカードなどで構成される。記録媒体１０Ａには、メインＣＰＵ１０８からの指示によって撮影画像のデータ、およびその撮影情報を含む画像ファイルが記録される。記録媒体１０Ａにはさらに、メインＣＰＵ１０８からの指示によって識別情報（得点情報）が記録される。記録媒体１０Ａに記録された画像ファイル、識別情報は、それぞれメインＣＰＵ１０８からの指示によって読み出しが可能である。
【００１９】
バッファメモリ１０９は、画像処理前後および画像処理途中のデータを一時的に格納する他、記録媒体１０Ａへ記録する前の画像ファイルを格納したり、記録媒体１０Ａから読み出した画像ファイルを格納したり、識別情報を生成したりするワークメモリとして使用される。
【００２０】
操作部材１１３は、電子カメラ１０の操作ボタン類に対応し、各ボタンの押下操作に対応する操作信号をメインＣＰＵ１０８へ出力する。無線インターフェイス１１６は、メインＣＰＵ１０８からの指示により外部機器（アクセスポイント１３に備えられる端末等）との間で無線ＬＡＮ通信、赤外線通信、および光通信などのいずれかの通信方式によってデータを送受信する。外部インターフェイス１１２は、メインＣＰＵ１０８からの指示により外部機器（パーソナルコンピュータやクレードル等）との間で不図示のケーブルを介してデータを送受信する。
【００２１】
GPS装置１１４は、メインＣＰＵ１０８からの指示に応じてGPS衛星からの電波を受信し、受信信号をメインＣＰＵ１０８へ出力する。メインＣＰＵ１０８は、GPS装置１１４からの受信信号に基づいて所定の演算を行い、電子カメラ１０の測位情報（緯度、経度、高度）を検出する。
【００２２】
方位センサ１１５は、メインＣＰＵ１０８からの指示に応じて地磁気を検出し、検出した地磁気に基づいて電子カメラ１０が向いている方向、すなわち、撮影レンズＬの光軸が向いている方位を求め、求めた方位を示す信号をメインＣＰＵ１０８へ出力する。方位センサ１１５によって検出される方位は、電子カメラ１０による撮影方位に対応する。
【００２３】
上記電子カメラ１０は、撮影時にＥｘｉｆ形式の画像ファイルを生成する。生成した画像ファイルは電子カメラ１０から得点管理サーバ１１へ送信（アップロード）するが、撮影画像ファイルを送信できない場合には当該画像ファイルを電子カメラ１０内の記録媒体１０Ａ内に保存しておく。記録媒体１０Ａ内に保存された画像ファイルは、電子カメラ１０がアクセスポイント１３と通信可能になった時点で電子カメラ１０から当該アクセスポイント１３を介して得点管理サーバ１１へ送信される。
【００２４】
＜情報表示処理＞
図３は、電子カメラ１０のメインＣＰＵ１０８が行う情報表示処理の流れを説明するフローチャートである。図３によるプログラムはメインＣＰＵ１０８内のメモリ（不図示）に格納されており、情報表示モードへのオン操作が電子カメラ１０に行われると起動する。情報表示モードのオン／オフ操作は、操作部材１１３を構成するモード切替スイッチ（不図示）によって行われる。
【００２５】
図３のステップＳ１１において、メインＣＰＵ１０８はマップ情報を表示するか否かを判定する。メインＣＰＵ１０８は、操作部材１１３からの操作信号がマップ情報の表示を指示する場合にステップＳ１１を肯定判定してステップＳ１２へ進み、操作信号がマップ情報以外の他の情報表示を指示する場合にはステップＳ１１を否定判定してステップＳ２１へ進む。
【００２６】
ステップＳ１２において、メインＣＰＵ１０８は通信可能か否かを判定する。メインＣＰＵ１０８は、アクセスポイント１３を介して得点管理サーバ１１と通信可能な状態にあればステップＳ１２を肯定判定してステップＳ１３へ進み、得点管理サーバ１１との間で通信できなければステップＳ１２を否定判定してステップＳ２２へ進む。
【００２７】
ステップＳ１３において、メインＣＰＵ１０８は、得点管理サーバ１１から最新のマップ情報を受信してステップＳ１４へ進む。ステップＳ１２を否定判定したメインＣＰＵ１０８は、ステップＳ２２において、過去に得点管理サーバ１１から受信したマップ情報をメインＣＰＵ１０８内のメモリ（不図示）から読み出してステップＳ１４へ進む。
【００２８】
ステップＳ１４において、メインＣＰＵ１０８は、GPS装置１１４による受信信号に基づいて測位情報を取得してステップＳ１５へ進む。ステップＳ１５において、メインＣＰＵ１０８は表示画像作成回路１１０へ指示を送り、受信したマップ情報に基づいて電子カメラ１０の現在位置を含む所定範囲のマップ表示を液晶モニタ１１１に表示させてステップＳ１６へ進む。
【００２９】
図５は、電子カメラ１０の液晶モニタ１１１に表示されるマップ情報を例示する図である。本実施形態では、ポイント提供システムがツアー参加者（サービス利用者）へ「見どころ」の位置（地点情報）を記したマップ情報を提供する。図５によれば、「見どころ」を示す○印５１〜５５が地図上に表示されている。参加者は、「見どころ」へ行って電子カメラ１０による撮影を行えば、撮影内容に応じてポイントを貯めることができる。
【００３０】
参加者は、○印で示された「見どころ」を全部回ってもよいし、任意の「見どころ」のみを回ってもよい。メインＣＰＵ１０８は、測位情報に基づいて現在地を示すカメラマーク５７を地図上に表示させる。メインＣＰＵ１０８はさらに、操作部材１１３が操作され、特定の「見どころ」についての表示削除が指示されると、液晶モニタ１１１上の表示から対応する○印表示を削除する。
【００３１】
得点管理サーバ１１から提供されたマップ情報には、「見どころ」を巡る推奨順序も含まれる。メインＣＰＵ１０８は、次に巡るべき「見どころ」について、○印表示から◎印表示５３へ切替えて液晶モニタ１１１に表示させる。参加者は、マップ情報によって提示される推奨順に「見どころ」を巡る場合、推奨順と異なる順序で巡る場合に比べて移動距離が少なくて済む。また、推奨順に「見どころ」を巡る場合、ツアー終了時に集まるべき集合地点５１に集合時刻までに辿り着ける。図中「集合場所」は、ツアー開始時および終了時に集まる地点を表す。
【００３２】
上記「見どころ」には、それぞれアクセスポイント１３（図１）が設けられており、撮影した画像ファイルを得点管理サーバ１１へ送信可能に構成される。図中の電池マーク５６は、電子カメラ１０の充電池を充電するための充電器がアクセスポイント１３に併設されていることを示す。参加者は、電池マーク５６が表示されている「見どころ」５１のアクセスポイント１３に立ち寄れば、バッテリチャージサービスを受けることができる。
【００３３】
メインＣＰＵ１０８は、「見どころ」で（正確には「見どころ」に対応する経度、緯度から所定範囲内において）撮影動作を行った場合、当該位置を示す表示について、○印表示から☆印表示５２へ切替えて液晶モニタ１１１に表示させる。
【００３４】
図３のステップＳ１６において、メインＣＰＵ１０８はカメラ操作されたか否かを判定する。メインＣＰＵ１０８は、レリーズボタン（不図示）などの操作信号が操作部材１１３から入力されるとステップＳ１６を肯定判定してステップＳ１７へ進み、カメラ操作の信号が入力されない場合にはステップＳ１６を否定判定してステップＳ２０へ進む。
【００３５】
ステップＳ１７において、メインＣＰＵ１０８は液晶モニタ１１１の表示切替えを指示してステップＳ１８へ進む。具体的には、表示画像作成回路１１０に対し、マップ表示に代えて撮影時に必要な情報や撮影画像を表示する準備をさせる。ステップＳ１８において、メインＣＰＵ１０８は、カメラ処理（図４）を行ってステップＳ１９へ進む。カメラ処理の詳細については後述する。
【００３６】
ステップＳ１９において、メインＣＰＵ１０８は液晶モニタ１１１の表示切替えを指示してステップＳ２０へ進む。具体的には、表示画像作成回路１１０に対し、撮影画像の表示に代えてマップ情報表示への復帰を指示する。
【００３７】
ステップＳ２０において、メインＣＰＵ１０８はタイムアウトか否かを判定する。メインＣＰＵ１０８は、操作部材１１３から操作信号が入力されない状態が所定時間継続されるとステップＳ２０を肯定判定して図３による処理を終了する。一方、メインＣＰＵ１０８は、操作信号が入力されている、もしくは操作信号が入力されない状態が所定時間に満たない場合にはステップＳ２０を否定判定し、ステップＳ１２へ戻って上記処理を繰り返す。
【００３８】
ステップＳ１１を否定判定して進むステップＳ２１において、メインＣＰＵ１０８は、他の情報表示処理を行って図３による処理を終了する。他の情報表示処理は、たとえば、参加者が獲得した累計ポイントを得点管理サーバ１１から受信して液晶モニタ１１１に表示する処理である。
【００３９】
＜カメラ処理＞
カメラ処理の詳細について、図４のフローチャートを参照して説明する。図４のステップＳ５１において、メインＣＰＵ１０８は、カメラ部を構成するブロック（撮像素子１０１やドライバ１０４など）へ通電を開始させてステップＳ５２へ進む。ステップＳ５２において、メインＣＰＵ１０８は、デフォルトの撮影モード、表示、画像処理などのための初期設定を行ってステップＳ５３へ進む。
【００４０】
ステップＳ５３において、メインＣＰＵ１０８はレリーズボタンが半押し操作されたか否かを判定する。メインＣＰＵ１０８は、半押し操作信号が入力されるとステップＳ５３を肯定判定してステップＳ５４へ進み、半押し操作信号が入力されていない場合にはステップＳ５３を否定判定し、当該判定処理を繰り返す。
【００４１】
ステップＳ５４において、メインＣＰＵ１０８は不図示の焦点検出装置およびレンズ駆動装置へ指示を送り、レンズＬによる焦点調節状態の検出および焦点調節を行わせてステップＳ５５へ進む。ステップＳ５５において、メインＣＰＵ１０８は撮像素子１０１による撮像を開始させる（電荷蓄積を開始させる）。メインＣＰＵ１０８は、所定時間が経過すると撮像を終了させ、撮像素子１０１から蓄積電荷を掃き出させる。
【００４２】
ステップＳ５６において、メインＣＰＵ１０８は、撮像素子１０１からの画像信号を用いて露光演算を行い、ステップＳ５７へ進む。ステップＳ５７において、メインＣＰＵ１０８はレリーズボタンが全押し操作されたか否かを判定する。メインＣＰＵ１０８は、全押し操作信号が入力されるとステップＳ５７を肯定判定してステップＳ５８へ進み、全押し操作信号が入力されていない場合にはステップＳ５７を否定判定し、ステップＳ６８へ進む。
【００４３】
ステップＳ５８において、メインＣＰＵ１０８は撮像素子１０１を初期化（不要電荷を掃き出させる）してステップＳ５９へ進む。ステップＳ５９において、メインＣＰＵ１０８は撮像素子１０１による本撮像を開始させる（電荷蓄積を開始させる）。メインＣＰＵ１０８は、ステップＳ５６において得られている制御露出に基づいてシャッタ（不図示）および絞り（不図示）を駆動制御し、制御シャッタ秒時が経過すると撮像を終了させるとともに、撮像素子１０１から蓄積電荷を掃き出させる。
【００４４】
ステップＳ６０において、メインＣＰＵ１０８は画像処理回路１０６へ指示を送り、撮像素子１０１からの画像信号に対して所定の画像処理を行わせてステップＳ６１へ進む。ステップＳ６１において、メインＣＰＵ１０８は表示画像作成回路１１０へ指示を送り、画像処理後のディジタル画像信号を用いて表示データを作成させてステップＳ６２へ進む。これにより、撮影画像が液晶モニタ１１１に再生表示される。
【００４５】
ステップＳ６２において、メインＣＰＵ１０８は表示画像作成回路１１０へ指示を送り、再生表示中の撮影画像に重ねて、以下のメッセージをオーバレイ表示させる。メインＣＰＵ１０８は、たとえば、「この画像を応募します。」のメッセージを液晶モニタ１１１に表示させてステップＳ６３へ進む。
【００４６】
ステップＳ６３において、メインＣＰＵ１０８は画像データを送信可能か否かを判定する。メインＣＰＵ１０８は、得点管理サーバ１１へ送信可能な状態にあればステップＳ６３を肯定判定してステップＳ６４へ進み、得点管理サーバ１１へ送信できなければステップＳ６３を否定判定してステップＳ６６へ進む。
【００４７】
ステップＳ６４において、メインＣＰＵ１０８は、バッファメモリ１０９に格納されている画像ファイルをアクセスポイント１３経由で得点管理サーバ１１へ送信し、ステップＳ６５へ進む。
【００４８】
ステップＳ６５において、メインＣＰＵ１０８は識別情報を付加してステップＳ６７へ進む。具体的には、バッファメモリ１０９に格納されている撮影画像が送信済みであることを示す情報を含む画像ファイルを作成する。
【００４９】
なお、得点管理サーバ１１は、画像ファイルが電子カメラ１０から応募された場合であって、当該画像ファイルが上記識別情報を有していない場合、または(2)画像ファイルが電子カメラ１０から応募された場合であって、当該画像ファイルが上記識別情報を有しており、この識別情報から当該撮影画像が未送信であることを確認した場合に、ポイントを生成・蓄積するように構成されている。
【００５０】
得点管理サーバ１１はさらに、画像ファイルが電子カメラ１０から応募された場合であって、当該画像ファイルが上記識別情報を有しているものの、その識別情報から当該撮影画像が未送信であることを確認できない場合はポイント生成・蓄積を行わなわず、電子カメラ１０に対してその旨のメッセージを送信するように構成される。
【００５１】
ステップＳ６３を否定判定して進むステップＳ６６において、メインＣＰＵ１０８は識別情報を付加してステップＳ６７へ進む。具体的には、バッファメモリ１０９に格納されている撮影画像が未送信であることを示す情報を含む画像ファイルを作成する。
【００５２】
ステップＳ６７において、メインＣＰＵ１０８は、バッファメモリ１０９内の画像ファイルを記録媒体１０Ａに記録してステップＳ６８へ進む。なお、バッファメモリ１０９の画像ファイルは、ステップＳ６７以降はバッファメモリ１０９内で保存しないように構成されている。
【００５３】
ステップＳ６８において、メインＣＰＵ１０８は半押しタイマー切れか否かを判定する。メインＣＰＵ１０８は、半押し操作信号が入力されない状態が所定時間継続されるとステップＳ６８を肯定判定し、カメラ部を構成するブロックへの通電オフ処理を行って図４による処理を終了する。一方、メインＣＰＵ１０８は、半押し操作信号が入力されている、もしくは半押し操作信号が入力されない状態が所定時間に満たない場合にはステップＳ６８を否定判定し、ステップＳ５４へ戻って上記処理を繰り返す。
【００５４】
＜「見どころ」を巡る順序＞
得点管理サーバ１１は、電子カメラ１０へ提供するマップ情報に含める「見どころ」を巡る推奨順序について、通常は時刻を基準に決定する。たとえば、ツアー開始時刻、ツアー終了時刻（集合時刻）、「見どころ」の数、「見どころ」および「見どころ」間の距離、および一般人の平均的な歩行速度（たとえば、４km/h）を用いて推奨順序を決定する。
【００５５】
＜推奨順序の変更＞
（ａ）「見どころ」の数の増減に応じて変更する
電子カメラ１０は、操作部材１１３が操作され、特定の「見どころ」についての表示削除が指示されると、液晶モニタ１１１上の表示から対応する○印表示を除外するとともに、その旨を無線インターフェイス１１６およびアクセスポイント１３を介して得点管理サーバ１１へ送信する。得点管理サーバ１１は、表示削除後に残存する「見どころ」を巡る推奨順序を再び決定し、再決定した推奨順序を電子カメラ１０へ提供する。
【００５６】
また、電子カメラ１０は操作部材１１３が操作され、「見どころ」の数を増やす指示がなされた場合には、その旨を無線インターフェイス１１６およびアクセスポイント１３を介して得点管理サーバ１１へ送信する。この場合の得点管理サーバ１１は、増加した「見どころ」を巡る推奨順序を再び決定し、再決定した推奨順序と、増加した「見どころ」を追加したマップ情報とを電子カメラ１０へ提供する。
【００５７】
（ｂ）季節や時刻に応じて変更する
得点管理サーバ１１は、季節、時刻に応じて「見どころ」およびこれら「見どころ」を巡る推奨順序を変更する。たとえば、季節が夏であれば「見どころ」として池や湖などを優先的に含めたり、冬であれば水辺の優先順位を下げたりする。また、季節が秋であれば「見どころ」として紅葉スポットを優先的に含める。さらに、午前中に巡る「見どころ」に朝市などを含めたり、昼どきに巡る「見どころ」にレストランなどの食事処に近い観光スポットを含めたり、夕暮れどきに巡る「見どころ」に夕日スポットを含める。
【００５８】
（ｃ）天候に応じて変更する
また、得点管理サーバ１１は、天候に応じて「見どころ」および推奨順序を変更する。たとえば、マップ情報として提供する地域に対する天気予報が下り坂の場合、屋外の「見どころ」を優先して巡るようにマップ情報を提供し、マップ情報として提供する地域が既に荒天の場合、屋内の「見どころ」を優先して巡るようにマップ情報を提供する。
【００５９】
（ｄ）残時間や速度に応じて変更する
さらにまた、得点管理サーバ１１は、集合時刻までの残時間と巡っていない「見どころ」の数、または参加者が実際に「見どころ」を巡る速度に応じて、「見どころ」および推奨順序を変更する。たとえば、集合時刻までの残時間に対して訪れていない「見どころ」の数が少ない場合は「見どころ」を追加したり、集合時刻までの残時間に対して訪れていない「見どころ」の数が多い場合には「見どころ」を削除したりする。なお、参加者の速度は、「見どころ」において撮影画像が応募（画像ファイルが送信）される間隔から検出する。
【００６０】
（ｅ）予想混雑状況に応じて変更する
得点管理サーバ１１がマップ情報に含める「見どころ」および推奨順序を、「見どころ」において予想される混雑状況に応じて変更する。得点管理サーバ１１は、たとえば、複数の異なるツアーが同日に開催され、それぞれのツアー参加者に対して共通の観光地のマップ情報を提供している場合、マップ情報における推奨順序や「見どころ」をツアーグループごとに異ならせて同時刻に同じ「見どころ」に集まる参加者数を所定人数以下に抑える。
【００６１】
得点管理サーバ１１は、開催されるツアーが１つであってもツアー参加者が多い場合には、マップ情報における推奨順序や「見どころ」を所定参加者数ごとに異ならせて同時刻に同じ「見どころ」に集まる参加者数を抑える。
【００６２】
（ｆ）実際の混雑状況に応じて変更する
得点管理サーバ１１はさらに、「見どころ」において実際に参加者が集まっている混雑状況に応じてマップ情報に含める「見どころ」および推奨順序を変更する。参加者が実際に集まっている混雑状況は、「見どころ」において所定時間内に応募（画像ファイルが送信）される撮影画像の数から検出する。得点管理サーバ１１は、同一の「見どころ」からの単位時間当たりの応募数が多い場合、当該「見どころ」を巡る他の参加者へ提供する推奨順序を変更して同じ「見どころ」に集まる参加者数を抑える。
【００６３】
以上説明した実施形態によれば、以下の作用効果が得られる。
（１）ポイント提供システムは、サービス利用者（ツアー参加者）に観光地に関するマップ情報を提供する。参加者の電子カメラ１０は、アクセスポイント１３を介した通信によって得点管理サーバ１１からマップ情報を受信し、マップ情報に基づいて「見どころ」の位置を示す地図を参加者の液晶モニタ１１１に表示する。ツアー開始後に「見どころ」情報が変更されたとしても、変更後の情報がアクセスポイント１３を介して電子カメラ１０へ送信されるので、参加者は、ツアー中も最新の「見どころ」情報を電子カメラ１０の表示画面から得ることができる。
【００６４】
（２）得点管理サーバ１１はマップ情報に「見どころ」を巡る順序を含める。この推奨順序はツアー開始時刻、ツアー終了時刻（集合時刻）、「見どころ」の数、「見どころ」および「見どころ」間の距離、および一般人の平均的な歩行速度に基づいて決定するので、参加者が推奨順に「見どころ」を巡る場合、ツアー終了時に集合地点５１へ集合時刻までに辿り着ける。
【００６５】
（３）電子カメラ１０は「見どころ」の数の増減指示を得点管理サーバ１１へ送信する。得点管理サーバ１１は、増減後の「見どころ」を巡る推奨順序を決定し、決定した推奨順序を電子カメラ１０へ提供する。これにより、参加者の希望を反映した「見どころ」およびこれら「見どころ」を巡る推奨順序を決定できる。
【００６６】
（４）得点管理サーバ１１は、季節、時刻に応じて「見どころ」およびこれら「見どころ」を巡る推奨順序を変更するので、季節ごとに異なる「見どころ」情報を参加者へ向けて提供したり、参加者がその「見どころ」に最も適した時刻に巡ることができるように巡る順序を決定できる。また、たとえば、食事の時間帯にレストランに近い「見どころ」へ集客するなど、特定の時刻に特定の場所へ参加者を誘導することもできる。
【００６７】
（５）得点管理サーバ１１は、天候に応じて「見どころ」およびこれら「見どころ」を巡る推奨順序を変更する変更するので、荒天の場合に不向きな場所を避けて「見どころ」情報を提供できる。
【００６８】
（６）得点管理サーバ１１は、残時間や速度に応じて「見どころ」およびこれら「見どころ」を巡る推奨順序を変更するので、参加者が時間を持て余さないように、かつ、参加者が巡る速度に合わせて「見どころ」情報を提供できる。
【００６９】
（７）得点管理サーバ１１は、予想混雑状況に応じて「見どころ」およびこれら「見どころ」を巡る推奨順序を変更するので、「見どころ」が混雑して参加者に不快感を与えるおそれを軽減できる。
【００７０】
（８）得点管理サーバ１１は、実際の混雑状況に応じて「見どころ」およびこれら「見どころ」を巡る推奨順序を変更するので、既に混雑している「見どころ」がさらに混雑することを防止できる。
【００７１】
（９）電子カメラ１０は、「見どころ」から所定範囲内において撮影を行った場合、当該位置を示す表示について、○印表示から☆印表示５２へ切替えて液晶モニタ１１１に表示させる。これにより、参加者は、巡った「見どころ」をまだ巡っていない「見どころ」と容易に見分けることができる。
【００７２】
なお、「見どころ」を巡ったことを示す表示に切替えるタイミングとして、(a)「見どころ」から所定範囲内に位置することを測位情報から検出した場合、(b)「見どころ」から所定範囲内において撮影を行い、かつ撮影画像を得点管理サーバ１１へアップロード（応募）した場合、(c)「見どころ」においてあらかじめ掲示されているＱＲコード（二次元コード）を撮影した場合のいずれかにおいて、表示切替えを行うようにしてもよい。
【００７３】
（１０）電子カメラ１０は、次に巡るべき「見どころ」について、○印表示から◎印表示５３へ切替えて液晶モニタ１１１に表示させる。これにより、参加者は、次に巡る「見どころ」を他の「見どころ」と容易に見分けることができる。
【００７４】
（変形例１）
得点管理サーバ１１が電子カメラ１０へ提供するマップ情報にサムネイル画像を含めてもよい。図６は、変形例１の場合に電子カメラ１０の液晶モニタ１１１に表示されるマップ情報を例示する図である。図６において、サービス利用者（参加者）が撮影動作を行った「見どころ」は、図５の☆印マーク５２に代えて、参加者自身が撮影したサムネイル画像６１で表示される。また、次に巡るべき「見どころ」は、図５の◎印マーク５３に代えて、当該「見どころ」にあらかじめ設置されているカメラ（いわゆるライブカメラ）によって撮影されたサムネイル画像６２で表示される。
【００７５】
ライブカメラは、リアルタイムに「見どころ」の様子を撮影し、撮影画像を得点管理サーバ１１へ逐次送信するように構成されている。得点管理サーバ１１は、電子カメラ１０へマップ情報を送信する際に、ライブカメラで撮影された最新のサムネイル画像６２のデータを含めて電子カメラ１０へ送信する。メインＣＰＵ１０８は、サムネイル画像６１の場合は記録媒体１０Ａ内の画像ファイルから、サムネイル画像６２の場合はマップ情報から、それぞれ読み込んで地図上の所定位置に重ねて表示させる。
【００７６】
メインＣＰＵ１０８は、操作部材１１３が操作され、サムネイル画像６２にポインタ６３が重ねられた場合、当該サムネイル画像６２の表示サイズを大きく伸ばして液晶モニタ１１１の表示範囲いっぱいに所定時間（たとえば、５秒間）表示させ（図７）、所定時間が経過すると元の表示（図６）に戻す。図７において、メインＣＰＵ１０８は、表示サイズを大きくしたサムネイル画像６２Ａを表示している間に操作部材１１３が操作され、表示延長が指示されると、拡大サムネイル画像６２Ａの表示時間をさらに５秒間延長させる。
【００７７】
図６において同様に、操作部材１１３が操作され、サムネイル画像６１にポインタ６３が重ねられた場合、メインＣＰＵ１０８は、当該サムネイル画像６１の表示サイズを大きく伸ばして液晶モニタ１１１の表示範囲いっぱいに所定時間（たとえば、５秒間）表示させ、所定時間が経過すると元の表示（図６）に戻す。メインＣＰＵ１０８は、表示サイズを大きくしたサムネイル画像を表示している間に操作部材１１３が操作され、表示延長が指示されると、拡大サムネイル画像の表示時間をさらに５秒間延長させる。
【００７８】
次に巡る「見どころ」を示すサムネイル画像６２は、たとえば太線もしくは二重線で囲むなどして既に巡った「見どころ」を示すサムネイル画像６１と識別しやすくするのが好ましい。
【００７９】
図６において○印表示されている「見どころ」についても、それぞれのライブカメラで撮影された最新のサムネイル画像をそれぞれ地図上の対応する位置に重ねて表示させる構成としてもよい。この場合、次に巡る「見どころ」と識別できるように、また、巡る順番がわかるように表示するのが好ましい。
【００８０】
以上説明した変形例１によれば、以下の作用効果が得られる。
（１）電子カメラ１０は、次に巡るべき「見どころ」の位置について、ライブカメラによって撮影されたサムネイル画像６２を液晶モニタ１１１に表示させる。これにより、参加者は、次に巡る「見どころ」位置および現在の様子を画像で知ることができる。
【００８１】
（２）電子カメラ１０は、既に巡った「見どころ」の位置について、電子カメラ１０で撮影したサムネイル画像６１を液晶モニタ１１１に表示させる。これにより、参加者は、巡った「見どころ」位置を画像で知ることができる。
【００８２】
（３）電子カメラ１０は、サムネイル画像６１またはサムネイル画像６２にポインタ６３が重ねられた場合、当該サムネイル画像の表示サイズを大きく伸ばして液晶モニタ１１１に所定時間（たとえば、５秒間）表示させるようにした。これにより、参加者にとってサムネイル画像の内容がわかりやすくなる。
【００８３】
（４）サムネイル画像にポインタ６３を重ねるだけの簡単な操作で拡大サムネイル画像を表示でき、拡大表示時間の延長も可能に構成したので、参加者にとって使いやすい電子カメラ１０が得られる。
【００８４】
（変形例２）
得点管理サーバ１１が電子カメラ１０へ提供する上記サムネイル画像に混雑情報を含めてもよい。図７において、拡大サムネイル画像６２Ａに混雑情報７１が重ねられている。混雑情報７１は、たとえば、サムネイル画像６２Ａで示される「見どころ」からの単位時間当たりの応募数に応じて得点管理サーバ１１が生成する。得点管理サーバ１１は、混雑度を１〜４の４段階に区分し、最も空いている状態を「１」、最も混んでいる状態を「４」で表す。状態「１」は、３つの人型マークを全て白で表し、状態「２」は、３つの人型マークのうち１つを黒で表すとともに残り２つを白で表す。状態「３」は、３つの人型マークのうち２つを黒で表すとともに残り１つを白で表し、状態「４」は、３つの人型マークを全て黒で表す。
【００８５】
以上説明した変形例２によれば、以下の作用効果が得られる。
（１）得点管理サーバ１１は、電子カメラ１０へ提供するサムネイル画像に混雑情報を含めるので、参加者は、「見どころ」の混雑状況を知ることができる。
【００８６】
（２）混雑情報は、「見どころ」からの単位時間当たりの応募数に応じて生成するようにしたので、撮影画像を解析して写っている人を数えるなどの複雑な処理を必要としない。
【００８７】
（変形例３）
以上の説明では、電子カメラ１０の地図上において「見どころ」に対応する位置を表すサムネイル画像として、ライブカメラで撮影されたサムネイル画像を用いる例を説明した。ライブカメラによる撮影画像の代わりに、他の参加者から応募された撮影画像によるサムネイル画像を用いてもよい。この場合の得点管理サーバ１１は、電子カメラ１０へマップ情報を送信する際に、他の参加者から応募された撮影画像のデータを含めて電子カメラ１０へ送信する。ライブカメラを設置しなくてよいので、ライブカメラを設置する場合に比べてコストがかからない。
【００８８】
（変形例４）
また、ライブカメラや他の参加者によって撮影されたサムネイル画像でなく、あらかじめ撮影され、得点管理サーバ１１に格納されている画像を用いてもよい。この場合、得点管理サーバ１１には、それぞれの「見どころ」における各季節で異なる時間帯の撮影画像がそれぞれ格納される。得点管理サーバ１１は、参加者の電子カメラ１０へマップ情報を送信する際に「見どころ」、季節、および時間帯が合致する撮影画像をデータベースから検索し、検索した画像のデータを含めて電子カメラ１０へ送信する。ライブカメラを設置しなくてよい上に、たとえば、プロカメラマンによる撮影画像を参加者へ提供することも可能になる。
【００８９】
（変形例５）
上述した説明において、「見どころ」にそれぞれアクセスポイント１３を設ける例を説明したが、これらは１対１に対応しなくてもよい。たとえば、複数の「見どころ」に対して共通のアクセスポイント１３を配設してもよいし、１つの「見どころ」に対応させて複数のアクセスポイント１３を配設してもよい。参加者へ提供されるマップ情報には、「見どころ」とアクセスポイント１３とのそれぞれの位置を示すとよい。
【００９０】
（変形例６）
ポイント提供システムが観光地に関してマップ情報を参加者へ提供する例を説明したが、公園内、施設内、商店街、などに関するマップ情報を提供してもよい。この場合、「見どころ」の代わりに「チェック地点」または「応募地点」と呼ぶ。商業施設に関して情報を提供する場合、たとえば参加者が「チェック地点」で店舗を撮影すると、撮影内容に応じてポイントを生成し、生成したポイントが得点管理サーバ１１に蓄積される。地図上において「チェック地点」に対応する位置を表すために参加者の電子カメラ１０へ送信するサムネイル画像は、ライブカメラで撮影した画像を用いる場合はライブカメラによる撮影対象を「チェック地点」に対応する店内風景としてもよい。また、参加者の電子カメラ１０へ送信するサムネイル画像に得点管理サーバ１１に格納されている画像を用いる場合は、その店舗が扱う商品の画像を用いてもよい。
【００９１】
以上説明した変形例６によれば、以下の作用効果が得られる。
（１）電子カメラ１０は、これから巡る「チェック地点」の位置について、ライブカメラによって撮影された店内画像を液晶モニタ１１１に表示させる。これにより、参加者は、「チェック地点」の空席状況を画像で知ることができる。
【００９２】
（２）電子カメラ１０は、これから巡る「チェック地点」の位置について、あらかじめ撮影され、得点管理サーバ１１に格納されている商品の画像を液晶モニタ１１１に表示させる。これにより、参加者は、「チェック地点」の商品（レストランの場合はメニュー）を画像で知ることができる。
【００９３】
（変形例７）
電子カメラ１０が得点管理サーバ１１から受信するマップ情報に、地図データ、「見どころ（チェック地点または応募地点）」を示す地点情報、ライブカメラによる画像および各地点を巡る推奨順序の情報を含めるように説明した。地図データは、あらかじめ電子カメラ１０の記録媒体１０Ａもしくはリムーバブルディスク（不図示）内に保存しておいてもよい。この場合には、電子カメラ１０が受信するマップ情報から地図データを省略することができる。
【００９４】
（変形例８）
電子機器として電子カメラ１０を例に説明したが、カメラ付き携帯電話機、カメラ付きPDAであってもよい。
【００９５】
以上の説明はあくまで一例であり、上記の実施形態の構成に何ら限定されるものではない。説明に用いた実施形態および変形例１〜変形例８は、それぞれを適宜組合わせて構成しても構わない。
【図面の簡単な説明】
【００９６】
【図１】図１は、本発明の一実施形態による電子カメラを含めて構成したポイント提供システムを例示する図である。
【図２】電子カメラの要部構成を説明するブロック図である。
【図３】メインＣＰＵが行う情報表示処理の流れを説明するフローチャートである。
【図４】メインＣＰＵが行うカメラ処理の流れを説明するフローチャートである。
【図５】液晶モニタに表示されるマップ情報を例示する図である。
【図６】変形例１の場合に液晶モニタに表示されるマップ情報を例示する図である。
【図７】拡大サムネイル画像の表示例を説明する図である。
【符号の説明】
【００９７】
１０…電子カメラ
１０Ａ…記録媒体
１１…得点管理サーバ
１３…アクセスポイント
１０１…撮像素子
１０８…メインＣＰＵ
１０９…バッファメモリ
１１０…表示画像作成回路
１１１…液晶モニタ
１１２…外部インターフェイス
１１３…操作部材
１１６…無線インターフェイス
【図１】
2008052190.tif 000003
【図２】
2008052190.tif 000004
【図３】
2008052190.tif 000005
【図４】
2008052190.tif 000006
【図５】
2008052190.tif 000007
【図６】
2008052190.tif 000008
【図７】
2008052190.tif 000009